(57)【特許請求の範囲】
【請求項１】
記憶手段に記憶した複数の共有情報をコンピュータを用いて複数のユーザーで共有する情報共有システムにおいて、
各ユーザーからの指示に基づき、該ユーザーごとのフォルダを作成するフォルダ作成手段と、
各ユーザーからの指示に基づき、前記記憶手段に記憶した複数の共有情報のうちの所定の共有情報へのショートカットを前記フォルダ作成手段で作成したフォルダに保存するショートカット保存手段と
を備え、
各ユーザーからの指示に基づき、前記フォルダ作成手段によって他ユーザが作成したフォルダのうちの所定のフォルダを利用可能とするリンクフォルダの登録を行うリンクフォルダ登録手段
をさらに備え、
前記フォルダ作成手段で作成したフォルダごとの、前記リンクフォルダ登録手段によって登録されている数であるリンク数を表示するリンク数表示手段
をさらに備えたことを特徴とする情報共有システム。
【請求項２】
前記リンクフォルダ登録手段によって登録されたリンクフォルダについて、リンク元のフォルダに対する修正を該リンクフォルダに反映する修正反映手段
をさらに備えたことを特徴とする請求項１に記載の情報共有システム。
【発明の詳細な説明】
【技術分野】
【０００１】
本発明は情報共有システムに関し、詳しくはコンピュータおよび記憶装置を用いて各種情報の記憶、参照を行うシステムにおいて、その各種情報を複数のユーザーで共有する情報共有システムに関する。
【背景技術】
【０００２】
最近のインターネットの普及に伴ない、ネットワークを介して複数のユーザーで情報を共有するシステムの提供が進んでおり、この情報共有システムの一例として一般に掲示板と呼ばれるシステムが知られている。
【０００３】
初期の最もシンプルな形の掲示板では、複数のユーザーのそれぞれが記事を書き、この記事を情報として複数のユーザーで共有し、その記事を掲示板に掲載すなわち表示することができるようになっており、書き込まれた記事は書き込まれた順番でたとえば記事のタイトルのみが一覧表示される。各ユーザーは一覧表示されたタイトルの中から読みたいものを選択し、記事の全文を読むことができる。
【０００４】
また、この初期の最もシンプルな形の掲示板を発展させた掲示板としては、書き込まれた記事をグループ化することができるものが知られている。非特許文献１の掲示板は、書き込まれた記事をグループ化することができる、従来から知られた掲示板の一例である。
【０００５】
この非特許文献１の掲示板では、所定のテーマに沿った記事をまとめることによってスレッドと呼ばれる記事群を形成し、記事を読もうとしているユーザーが興味のあるテーマの記事を探しやすくするよう構成されている。
【０００６】
また、従来の掲示板では、ユーザーが興味のあるテーマの記事を掲示板の中から探し出すためには、そのテーマを表すキーワードを用いたキーワード検索をして記事を探し出すようにしていた。
【０００７】
【非特許文献１】［ｏｎｌｉｎｅ］、［平成１７年８月１２日検索］、インターネット＜ＵＲＬ：  ｈｔｔｐ：／／ｗｗｗ．２ｃｈ．ｎｅｔ／＞
【発明の開示】
【発明が解決しようとする課題】
【０００８】
ところで、非特許文献１の掲示板のような従来の情報共有システムでは以下のような問題があった。
【０００９】
まず、掲示板に掲載されている記事の中から読みたい記事を探し出すためには、タイトル一覧の中から探し出す必要があり、記事数が多くなると、この作業は大変面倒で手間がかかるものであった。
【００１０】
これに対して非特許文献１の掲示板では、スレッドと呼ばれる同一テーマの記事で構成される記事群を提供し、所望の記事を探し出しやすくしてはいるものの、その記事を後で何度も参照したい場合などでは、その都度、その記事を探しなおす必要があり、操作が面倒であるという問題があった。
【００１１】
また、記事をキーワード検索して探し出す場合も同様であり、その記事を後で何度も参照したい場合などでは、その都度、その記事を探しなおす必要があり、操作が面倒であるという問題があった。
【００１２】
以上の結果、情報共有システムにおいて共有する情報の有効利用ができないという問題があった。
【００１３】
本発明は上記の点にかんがみてなされたもので、複数のユーザーで情報を共有する情報共有システムにおいて、所望の情報の探し出しを容易に行えるようにし、共有している情報の有効利用を可能とする情報共有システムを提供することを目的とする。
【課題を解決するための手段】
【００１４】
本発明は上記の目的を達成するために、記憶手段に記憶した複数の共有情報をコンピュータを用いて複数のユーザーで共有する情報共有システムにおいて、各ユーザーからの指示に基づき、該ユーザーごとのフォルダを作成するフォルダ作成手段と、各ユーザーからの指示に基づき、前記記憶手段に記憶した複数の共有情報のうちの所定の共有情報へのショートカットを前記フォルダ作成手段で作成したフォルダに保存するショートカット保存手段とを備え、各ユーザーからの指示に基づき、前記フォルダ作成手段によって他ユーザが作成したフォルダのうちの所定のフォルダを利用可能とするリンクフォルダの登録を行うリンクフォルダ登録手段をさらに備え、前記フォルダ作成手段で作成したフォルダごとの、前記リンクフォルダ登録手段によって登録されている数であるリンク数を表示するリンク数表示手段をさらに備えたことを特徴とする。
【００１７】
また本発明は請求項１に記載の発明において、前記リンクフォルダ登録手段によって登録されたリンクフォルダについて、リンク元のフォルダに対する修正を該リンクフォルダに反映する修正反映手段をさらに備えたことを特徴とする。
【発明の効果】
【００２０】
本発明によれば、複数のユーザーで情報を共有する情報共有システムにおいて、所望の情報の探し出しを容易に行えるようにし、共有している情報の有効利用を可能とする情報共有システムを提供することができる。
【００２１】
また、本発明によれば、共有情報たとえば掲示板の記事へのショートカットを自分のフォルダに保存しておくことができるので、ユーザーはその記事を検索する手間を省くことができるという効果を奏する。
【００２２】
また本発明によれば、各フォルダに保存された関連記事を一覧に表示することができるので、ある記事に関連のある記事を容易に見つけ出すことができる。
【００２３】
また本発明によれば、他のユーザーのフォルダをリンクしてリンクフォルダとして利用することができるので、より整理されたフォルダを利用することができる。
【００２４】
また本発明によれば、リンク元のフォルダの内容が修正されたときにはリンクフォルダの内容も修正されるので、常に最新のフォルダを利用することができる。
【００２５】
また本発明によれば、各フォルダのアクセス数やリンク数のランキングを表示することができるので、各ユーザーの意欲を向上させ、よりよく整理されたフォルダの作成を促進することができる。
【発明を実施するための最良の形態】
【００２６】
以下、本発明による実施の形態について図面を参照して説明する。
【００２７】
図１は、本発明による情報共有システムの一実施の形態の構成を示すブロック図である。
【００２８】
図１に示すように、本実施の形態の情報共有システムは、データベースサーバー１とアプリケーションサーバー２と端末装置３と端末装置４とをネットワーク５で接続して構成される。
【００２９】
データベースサーバー１では、掲示板に関するデータベースが後述の記憶手段１３に記憶され、このデータベースに対する管理を行う情報共有システムのソフトウェアプログラムが制御手段１１にて動作する。
【００３０】
アプリケーションサーバー２では、データベースサーバー１に記憶されているデータベースに基づいて、端末装置３や４にて操作可能な掲示板を動作させるアプリケーションプログラムが後述の記憶手段２３に記憶され、このアプリケーションプログラムが制御手段２１にて動作する。
【００３１】
端末装置３や端末装置４は、ユーザーが操作するたとえばパソコン等の装置であり、掲示板を操作するアプリケーションプログラムが後述の記憶手段３３等に記憶され、このアプリケーションプログラムが制御手段３１等にて動作する。
【００３２】
なお、ネットワーク５は、たとえばイーサネット（登録商標）やトークンリング等のＬＡＮやそのほかイントラネット、インターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００３３】
図２は、図１に示したデータベースサーバー１の構成を示すブロック図である。
【００３４】
データベースサーバー１は、データベースサーバー１全体の動作を制御するＣＰＵやＭＰＵなどの制御手段１１と、ユーザーがデータベースサーバー１に対する操作、指示等を入力したり、データベースサーバー１がユーザーに対して様々な情報を表示したり出力する入出力手段１２と、データベースサーバー１の動作に必要なプログラムおよびパラメータ等のほか、掲示板の記事内容やその関連情報などの情報共有システムで管理するデータベースに含まれる各テーブルなどを記憶する記憶手段１３と、図１に示したアプリケーションサーバー２とのインタフェースであるネットワーク接続手段１４とを有して構成される。入出力手段１２としては、たとえば、入力のためにキーボードやマウス等が用いられ、出力のためにディスプレイ装置等が用いられる。他の装置から操作可能な構成においては入出力手段１２は必須構成ではない。
【００３５】
図３は、図１に示したアプリケーションサーバー２の構成を示すブロック図である。
【００３６】
アプリケーションサーバー２は、アプリケーションサーバー２全体の動作を制御するＣＰＵやＭＰＵなどの制御手段２１と、ユーザーがアプリケーションサーバー２に対する操作、指示等を入力したり、アプリケーションサーバー２がユーザーに対して様々な情報を表示したり出力する入出力手段２２と、アプリケーションサーバー２の動作に必要なプログラムおよびパラメータ等のほか、情報共有システムのアプリケーションサーバー側のソフトウェアプログラムなどを記憶する記憶手段２３と、図１に示したデータベースサーバー１とのインタフェースであるネットワーク接続手段２４と、図１に示したネットワーク５とのインタフェースであるネットワーク接続手段２５とを有して構成される。入出力手段２２としては、たとえば、入力のためにキーボードやマウス等が用いられ、出力のためにディスプレイ装置等が用いられる。他の装置から操作可能な構成においては入出力手段２２は必須構成ではない。
【００３７】
データベースサーバー１とアプリケーションサーバー２との接続は、ネットワーク５と同様に、たとえばイーサネット（登録商標）やトークンリング等のＬＡＮやそのほかイントラネット、インターネットなど、また有線、無線を問わず、また通信プロトコルも問わず、どのようなネットワークで接続されてもよいし、バス接続されてもかまわない。また、データベースサーバーおよびアプリケーションサーバーの機能を併せ持つ１台のサーバーを用いるようにしてもよい。
【００３８】
図４は、図１に示した端末装置３の構成を示すブロック図である。
【００３９】
図１に示した端末装置３および４は、本実施の形態に関わる基本構成は同様であるので、ここでは代表して端末装置３について説明する。
【００４０】
端末装置３は、端末装置３全体の動作を制御するＣＰＵやＭＰＵなどの制御手段３１と、ユーザーが端末装置３に対する操作、指示等を入力したり、端末装置３がユーザーに対して様々な情報を表示したり出力する入出力手段３２と、端末装置３の動作に必要なプログラムおよびパラメータ等のほか、情報共有システムの端末装置側のソフトウェアプログラムなどを記憶する記憶手段３３と、図１に示したネットワーク５とのインタフェースであるネットワーク接続手段３４とを有して構成される。入出力手段３２としては、たとえば、入力のためにキーボードやマウス等が用いられ、出力のためにディスプレイ装置等が用いられる。
【００４１】
次に、本実施の形態の情報共有システムの動作について説明する。
【００４２】
本実施の形態の情報共有システムは、ユーザーが端末装置３および４を用いて、掲示板に掲載する記事を書き込み、また掲示板の記事を閲覧することができるものである。端末装置３および４に表示される掲示板の画面は、アプリケーションサーバー２でそのレイアウトまでが生成され（たとえばＨＴＭＬやＸＭＬ等）、端末装置３および４ではそれを受信してその画面の表示のみを行うものでもよいし、これとは異なり、アプリケーションサーバー２から端末装置３および４へは掲示板の記事内容などだけを送信し、画面のレイアウトの生成は端末装置３および４で行うようにしてもよい。本実施の形態では、アプリケーションサーバー２でそのレイアウトまでが生成され、端末装置３および４ではそれを受信してその画面の表示のみを行うものとする。
【００４３】
図５は、図１に示した情報共有システムのアプリケーションサーバー２で生成される画面の例を示すブロック図である。
【００４４】
図５に示すように、本実施の形態のアプリケーションサーバー２では、データベースサーバー１に記憶してある掲示板の記事内容やその関連情報に基づいて、記事一覧画面２３１、ショートカット登録画面２３２、ショートカットフォルダ一覧２３３、関連記事一覧画面２３４、フォルダ利用回数一覧２３５、リンクフォルダ登録画面２３６、リンクフォルダ一覧２３７、リンクフォルダ一覧画面（リンク数順）２３８などの画面を生成し、端末装置３や４ではユーザーに向けてこれらの画面を表示する。
【００４５】
図６は、図１に示した情報共有システムの処理の流れを示すフローチャートである。
【００４６】
まずユーザーは、端末装置３や４を用いて、アプリケーションサーバー２にアクセスしてアプリケーションサーバー２上で動作する掲示板に対して記事の書込みを行う（Ａ−１）。
【００４７】
掲示板に書込まれた記事の一覧の画面の一例を図８に示す。図８において、３２１は、端末装置３や４に表示する表示画面のうち掲示板の記事一覧画面の一例である。記事を閲覧するユーザーは、この一覧画面３２１から所望の記事を選択することによってその記事内容を閲覧することができる。この一覧画面３２１は、図５に示したアプリケーションサーバー２で生成した記事一覧画面２３１に相当する。
【００４８】
ところが、掲示板に書込まれた記事が増加してくると、ユーザーが所望の記事を見つけるのが困難になってくる（Ａ−２）。そこで本実施の形態の情報共有システムでは、各ユーザーが情報を利用しやすいような分類を自身で作成することができる機能を提供するとともに、他のユーザーが作成した分類を利用することができる機能を提供する。さらに、分類の作成を促進するため各ユーザーが分類を作成する意欲を向上させる仕組みを提供する。
【００４９】
まず、各ユーザーはショートカットの作成を行い（Ａ−３）、自分自身のための情報整理を行う（Ａ−４）。
【００５０】
図７は、図１に示した情報共有システムの処理の流れに沿った画面遷移の概要を示す図である。
【００５１】
図６のショートカットの作成（Ａ−３）では、ユーザーは、図７の記事一覧（Ｂ−１）の中からショートカットを作成する記事を選択し、ショートカット登録画面（Ｂ−２）ではそのショートカットを保存するフォルダを選択する。
【００５２】
記事へのショートカットを保存するフォルダを新規作成する場合のショートカット登録画面の一例を図９に示す。図９において、３２２は、端末装置３や４に表示する表示画面のうちショートカット登録画面の一例である。記事を閲覧するユーザーは、このショートカット登録画面３２２から記事へのショートカットを所望のフォルダに保存することができる。このショートカット登録画面３２２は、図５に示したアプリケーションサーバー２で生成したショートカット登録画面２３２に相当する。
【００５３】
図７のショートカット一覧（Ｂ−３）は、鈴木さん、田中さん、高橋さんの３人のショートカット一覧を示している。ショートカット一覧（Ｂ−３）では３人のショートカット一覧を１つの面に示しているが、実際には、各ユーザーのユーザーＩＤで個人認証されて端末装置３や４を利用し、その認証されたユーザーのショートカット一覧が表示され、そのユーザーがショートカットを利用可能となる。
【００５４】
各ユーザーが記事へのショートカットを保存したフォルダの中身を表示するショートカットフォルダ一覧の画面の一例を図１０に示す。図１０において、３２３は、端末装置３や４に表示する表示画面のうちショートカットフォルダ一覧の画面の一例である。記事を閲覧するユーザーは、このショートカットフォルダ一覧３２３によって、自身が作成したフォルダに保存されたショートカットを利用し所望の記事を容易に見つけ出すことができる。このショートカットフォルダ一覧３２３は、図５に示したアプリケーションサーバー２で生成したショートカットフォルダ一覧２３３に相当する。
【００５５】
たとえば図７の（Ｂ−３）では、鈴木さんは、「仕事関係フォルダ」を作成してそこに記事２へのショートカットおよび記事１１へのショートカットを保存し、「趣味フォルダ」を作成してそこに記事１４へのショートカット、記事１７へのショートカットおよび記事１８へのショートカットを保存し、「連絡事項フォルダ」を作成してそこに記事２０へのショートカット、記事３０へのショートカットおよび記事３３へのショートカットを保存している。鈴木さんは、このように自分なりに記事を分類し、たとえば趣味に関する記事を「趣味フォルダ」にまとめておき、所望の記事を見つけ出しやすいようにしている。
【００５６】
次に、図６の関連記事一覧の表示（Ａ−５）について説明する。
【００５７】
ユーザーが図７の記事一覧（Ｂ−４）において関連記事表示を選択すると、その選択された記事の関連記事が関連記事一覧（Ｂ−５）として表示される。
【００５８】
ここで、関連記事とは、その選択された記事へのショートカットと同じフォルダに保存されている他の記事をいう。
【００５９】
たとえば記事一覧（Ｂ−４）において記事２についての関連記事を表示するようにユーザーが選択した場合には、アプリケーションサーバー２では、各ユーザーが作成したフォルダのうち記事２へのショートカットを保存してあるフォルダを抽出し、そのフォルダ内のショートカットすべてを関連記事一覧（Ｂ−５）として表示する。
【００６０】
関連記事一覧画面の一例を図１１に示す。図１１において、３２４は、端末装置３や４に表示する表示画面のうち関連記事一覧画面の一例である。記事を閲覧するユーザーは、この関連記事一覧画面３２４によって、自身が選択した記事に関連すると思われる記事を探し出すことができる。この関連記事一覧画面３２４は、図５に示したアプリケーションサーバー２で生成した関連記事一覧画面２３４に相当する。
【００６１】
また関連記事一覧画面の例としては、図７の関連記事一覧（Ｂ−５）に示すように、記事２へのショートカットが保存されているフォルダとして鈴木さんの「仕事関係フォルダ」、田中さんの「Ｔｏｄｏフォルダ」および高橋さんの「音楽のフォルダ」が抽出され、それが端末装置３や４の画面に表示される。この表示を見たユーザーは、他のユーザーが記事２と同じフォルダに入れている記事は記事２と何らかの関連があると考えられるので、記事２に興味がある自分にとって有効な情報を得ることができる。
【００６２】
このようにして関連記事の一覧を表示（図６の（Ａ−５））したならば、その表示を見たユーザーは、その関連記事一覧（Ｂ−５）に表示されているショートカットのうちいずれかを選択してそのショートカットの記事を閲覧する（Ａ−６）。アプリケーションサーバー２は、この閲覧がされた場合、そのショートカットが保存されているフォルダごとにアクセス数のカウントアップを行う（Ａ−７）。アプリケーションサーバー２は、このフォルダごとのアクセス数と別に、記事ごとに閲覧された回数をカウントする記事ごとのアクセス数を記録するようにしてもよい。
【００６３】
フォルダごとにカウントされたアクセス数は、たとえばデータベースサーバー１に保存され、必要に応じてアプリケーションサーバー２によって読み出され、たとえばフォルダ利用回数一覧（Ａ−８）として用いられる。このフォルダ利用回数一覧（Ａ−８）は、たとえば図７の人気フォルダ一覧（アクセス数）（Ｂ−１０）として端末装置３や４に表示する。人気フォルダ一覧（アクセス数）（Ｂ−１０）では、田中さんが作成したゴルフのフォルダのアクセス数が５３回であり、高橋さんが作成したパソコンのフォルダのアクセス数が４４回であり、鈴木さんが作成した仕事関係フォルダのアクセス数が２３回であることを表示している。これを参照したユーザーは自身の作成したフォルダのアクセス数が多ければ励みになり、また、アクセス数が少ない人はより上位になろうとして、よりよいフォルダの作成、ショートカットの作成を促進することができる（Ａ−９）。
【００６４】
フォルダごとのアクセス数を表示する人気フォルダ一覧（アクセス数）の画面の一例を図１２に示す。図１２において、３２５は、端末装置３や４に表示する表示画面のうち人気フォルダ一覧（アクセス数）の画面の一例である。人気フォルダ一覧（アクセス数）の画面３２５は、図５に示したアプリケーションサーバー２で生成したフォルダ利用回数一覧２３５に相当する。
【００６５】
次に、本実施の形態の情報共有システムによる処理のうちリンクフォルダに関する処理について説明する。
【００６６】
図６のショートカットの作成（Ａ−６）で説明したようにして、各ユーザーがショートカットを保存したフォルダを作成した状態において、本実施の形態の情報共有システムでは、このようなフォルダを、作成した本人以外のユーザーも利用することができるようにリンクフォルダを作成（Ａ−１０）することができる。この際に、利用する他人のフォルダは、記事へのショートカットが適切に分類され整理されて保存されたフォルダほど他のユーザーに利用される（リンクされる）数が多くなる（Ａ−１１）。
【００６７】
図６のリンクフォルダの作成（Ａ−１０）では、図７のリンクフォルダ登録画面（Ｂ−６）として他のユーザーが作成したフォルダを提示し、ユーザーは、この提示の中からリンクするフォルダを選択する。
【００６８】
ユーザーが、他のユーザーが作成したフォルダをリンクさせ、自分の表示画面に表示させる際のリンクフォルダ登録画面の一例を図１３に示す。図１３において、３２６は、端末装置３や４に表示する表示画面のうちリンクフォルダ登録画面の一例である。このリンクフォルダ登録画面３２６は、図５に示したアプリケーションサーバー２で生成したショートカット登録画面２３２に相当する。
【００６９】
図７の伊藤さんのリンクフォルダ一覧（Ｂ−７）は、ユーザーのひとりである伊藤さんのリンクフォルダを端末装置３や４に表示する表示画面であり、このリンクフォルダ一覧では、伊藤さんは田中さんのゴルフのフォルダと高橋さんのパソコンのフォルダをリンクフォルダとして登録し、これらを自分のフォルダと同様に参照できるようにしている。
【００７０】
リンクフォルダ一覧の画面の一例を図１４に示す。図１４において、３２７は、端末装置３や４に表示する表示画面のうちリンクフォルダ一覧の画面の一例である。ユーザーは、このリンクフォルダ一覧３２７によって、自身が作成したフォルダと同様に他のユーザーが作成したフォルダを利用することができる。このリンクフォルダ一覧３２７は、図５に示したアプリケーションサーバー２で生成したリンクフォルダ一覧２３７に相当する。
【００７１】
このようにして他のユーザによってリンクされたリンク数（何人のユーザーからリンクされているかの数）は、アプリケーションサーバー２によってカウントされる（図６の（Ａ−１２））。
【００７２】
アプリケーションサーバー２は、このフォルダごとのリンク数と別に、記事ごとにショートカットを作成された数（何人のユーザーによってその記事へのショートカットを作成されたかの数）をカウントする記事ごとのショートカット数を記録するようにしてもよい。
【００７３】
ところで、図７の伊藤さんのリンクフォルダ一覧（Ｂ−７）のように表示された状態で、そのリンクされたフォルダの編集をそのフォルダの持ち主が行った場合（Ｂ−８）、その編集はそのフォルダをリンクしている伊藤さんのリンクフォルダにも自動的に反映される（Ｂ−９）。
【００７４】
フォルダごとにカウントされたリンク数は、たとえばデータベースサーバー１に保存され（Ａ−１２）、必要に応じてアプリケーションサーバー２によって読み出され、たとえばリンク数一覧（Ａ−１３）として用いられる。
【００７５】
このリンク数一覧（Ａ−１３）は、たとえば図７の人気フォルダ一覧（リンク数）（Ｂ−１１）として端末装置３や４に表示する。人気フォルダ一覧（リンク数）（Ｂ−１１）では、鈴木さんが作成した仕事関係フォルダのリンク数が１６であり、高橋さんが作成したパソコンのフォルダのリンク数が１２回であり、田中さんが作成したゴルフのフォルダのアクセス数が１０回であることを表示している。これを参照したユーザーは自身の作成したフォルダのリンク数が多ければ励みになり、また、リンク数が少ない人はより上位になろうとして、よりよいフォルダの作成、ショートカットの作成を促進することができる（Ａ−９）。
【００７６】
フォルダごとのリンク数を表示する人気フォルダ一覧（リンク数）の画面の一例を図１５に示す。図１５において、３２８は、端末装置３や４に表示する表示画面のうち人気フォルダ一覧（リンク数）の画面の一例である。人気フォルダ一覧（リンク数）の画面３２８は、図５に示したアプリケーションサーバー２で生成したリンクフォルダ一覧画面（リンク数順）２３８に相当する。
【００７７】
なお、上述の実施の形態では、本発明による情報共有システムを掲示板に適用した場合について説明したが、本発明はこれに限られるものではなく、他の情報の共有にも用いることができる。
【００７８】
たとえば電子メールのメールアドレスを管理するアドレス帳において、アドレス帳にフォルダ（アドレス帳グループ）を作成し、このフォルダによって各ユーザーのメールアドレスを分類する場合にも本発明による情報共有システムを利用することができる。
【００７９】
この場合、上述の実施の形態における掲示板の各記事は、各メールアドレスとすることができ、図７の（Ｂ−５）において関連記事一覧を表示したのと同様にして、ある人のメールアドレスが保存されているフォルダの中をすべて表示させ、そのある人の関係者一覧として用いることもできる。
【００８０】
また、本発明による情報共有システムにおいて共有する情報としては、テキストに限られるものではなく、静止画、動画、音声、音楽などあらゆる情報を対象とすることができる。
【図面の簡単な説明】
【００８１】
【図１】本発明による情報共有システムの一実施の形態の構成を示すブロック図である。
【図２】図１に示したデータベースサーバー１の構成を示すブロック図である。
【図３】図１に示したアプリケーションサーバー２の構成を示すブロック図である。
【図４】図１に示した端末装置３の構成を示すブロック図である。
【図５】図１に示した情報共有システムのアプリケーションサーバー２で生成される画面の例を示すブロック図である。
【図６】図１に示した情報共有システムの処理の流れを示すフローチャートである。
【図７】図１に示した情報共有システムの処理の流れに沿った画面遷移の概要を示す図である。
【図８】掲示板に書込まれた記事の一覧の画面の一例を示す図である。
【図９】ショートカット登録画面の一例を示す図である。
【図１０】ショートカットフォルダ一覧の画面の一例を示す図である。
【図１１】関連記事一覧画面の一例を示す図である。
【図１２】人気フォルダ一覧（アクセス数）の画面の一例を示す図である。
【図１３】リンクフォルダ登録画面の一例を示す図である。
【図１４】リンクフォルダ一覧の画面の一例を示す図である。
【図１５】人気フォルダ一覧（リンク数）の画面の一例を示す図である。
【符号の説明】
【００８２】
１  データベースサーバー
２  アプリケーションサーバー
３  端末装置
４  端末装置
５  ネットワーク
１１  制御手段
１２  入出力手段
１３  記憶手段
１４  ネットワーク接続手段
２１  制御手段
２２  入出力手段
２３  記憶手段
２４  ネットワーク接続手段
２５  ネットワーク接続手段
３１  制御手段
３２  入出力手段
３３  記憶手段
３４  ネットワーク接続手段
【図１】
0004718291.tif 000002
【図２】
0004718291.tif 000003
【図３】
0004718291.tif 000004
【図４】
0004718291.tif 000005
【図５】
0004718291.tif 000006
【図６】
0004718291.tif 000007
【図７】
0004718291.tif 000008
【図８】
0004718291.tif 000009
【図９】
0004718291.tif 000010
【図１０】
0004718291.tif 000011
【図１１】
0004718291.tif 000012
【図１２】
0004718291.tif 000013
【図１３】
0004718291.tif 000014
【図１４】
0004718291.tif 000015
【図１５】
0004718291.tif 000016